(57)【特許請求の範囲】
【請求項１】
複数の吸上芯を容器体内に連通した開口部に挿入し、前記容器体内の液状薬剤を前記各吸上芯で吸い上げて前記容器体より延出した前記各吸上芯の部位から揮散する揮散装置において、
前記開口部の外周部を、該開口部から上方へ向かうに従って外周方向に向けて傾斜する上部傾斜面で構成し、上方へ向かうに従って拡開する拡開形状に形成したことを特徴とする揮散装置。
【請求項２】
前記開口部の外周部を、該開口部から下方へ向かうに従って外周方向に向けて傾斜する下部傾斜面で構成し、下方へ向かうに従って拡開する拡開形状に形成したことを特徴とする請求項１記載の揮散装置。
【請求項３】
前記容器体の口部に装着されるキャップと、該キャップと前記口部との間に保持される被保持体とを設け、
該被保持体に前記容器体内部と外部とを連通する前記開口部を設定するとともに、当該被保持体の外周面より外方へ延出する鍔部を設ける一方、
前記キャップに、前記口部の外周部を覆う筒部と、該筒部の上端より内側に延出したフランジ部とを形成し、当該キャップを前記口部に装着した状態で前記被保持体の前記鍔部を前記口部の端面と前記キャップの前記フランジ部とで挟持可能に構成したことを特徴とする請求項１又は２記載の揮散装置。
【請求項４】
前記キャップに外嵌し当該キャップを覆う装飾カバーを前記キャップと異なる素材で構成し、該装飾カバーの天部に、前記被保持体の前記開口部及び前記口部を介して前記容器体内連通する連通穴を設けたことを特徴とする請求項３記載の揮散装置。
【発明の詳細な説明】
【技術分野】
【０００１】
本発明は、液状成分を揮散する揮散装置に関する。
【背景技術】
【０００２】
従来、容器体に収容された芳香液や消臭液等の液状薬剤を揮散する揮散装置が知られている。
【０００３】
この揮散装置としては、容器体に複数の吸上芯を挿入し、吸い上げた液状薬剤を、容器体から延出した部分より揮散するいわゆるリードディフューザータイプの揮散装置が知られている。
【０００４】
このリードディフューザータイプの揮散装置８１１は、図６に示すように、液状薬剤８０１を収容した容器体８０２を備えてなり、該容器体８０２に設けられた口部８０３の開口部８０４には、複数の吸上芯８０５，・・・が挿入されている。
【０００５】
各吸上芯８０５，・・・は、その基端部が前記容器体８０２の底部に達するとともに、先端部が前記口部８０３より上方に延出するように構成されており、前記容器体８０２に収容された前記液状薬剤８０１を基端部から吸い上げて先端部及び周囲より揮散できるように構成されている。
【発明の概要】
【発明が解決しようとする課題】
【０００６】
しかしながら、このような従来の揮散装置８１１にあっては、吸上芯８０５，・・・を挿入する為に容器体８０２の口部８０３の開口面積が大きいため、当該容器体８０２が倒れた際に収容された液状薬剤８０１がこぼれ易いという問題があった。
【０００７】
本発明は、このような従来の課題に鑑みてなされたものであり、吸上芯の挿入を容易としつつ転倒時のこぼれを抑制することができる揮散装置を提供することを目的とするものである。
【課題を解決するための手段】
【０００８】
前記課題を解決するために本発明の請求項１の揮散装置にあっては、複数の吸上芯を容器体内に連通した開口部に挿入し、前記容器体内の液状薬剤を前記各吸上芯で吸い上げて前記容器体より延出した前記各吸上芯の部位から揮散する揮散装置において、前記開口部の外周部を、該開口部から上方へ向かうに従って外周方向に向けて傾斜する上部傾斜面で構成し、上方へ向かうに従って拡開する拡開形状に形成した。
【０００９】
すなわち、複数の吸上芯が挿入される開口部の外周部は、該開口部から上方へ向かうに従って外周方向に向けて傾斜する上部傾斜面で構成されており、複数の吸上芯を束ねて前記開口部に挿入する際に、外側に配置された吸上芯が前記開口部外周部の前記上部傾斜面に干渉した場合であっても、これらの吸上芯を、前記上部傾斜面に沿って前記開口部へ案内することができる。
【００１０】
このため、前記開口部への前記吸上芯の挿入容易性を損なうことなく、前記開口部の開口面積を最小限に抑えることができる。
【００１１】
そして、前記開口部の外周部には、該開口部から上方へ向かうに従って外周方向に向けて傾斜する上部傾斜面で構成されており、前記開口部に挿入された複数の吸上芯は、前記上部傾斜面側への傾倒が許容される。
【００１２】
また、請求項２の揮散装置においては、前記開口部の外周部を、該開口部から下方へ向かうに従って外周方向に向けて傾斜する下部傾斜面で構成し、下方へ向かうに従って拡開する拡開形状に形成した。
【００１３】
すなわち、前記開口部の外周部における下部には、下方へ向かうに従って外周方向に向けて傾斜した下部傾斜面を形成されており、下方へ向かうに従って拡開する拡開形状を構成されている。
【００１４】
このため、前記開口部に挿入された複数の吸上芯は、前記上部傾斜面に沿って傾倒された状態で、前記下部傾斜面への干渉が防止される。
【００１５】
さらに、請求項３の揮散装置では、前記容器体の口部に装着されるキャップと、該キャップと前記口部との間に保持される被保持体とを設け、該被保持体に前記容器体内部と外部とを連通する前記開口部を設定するとともに、当該被保持体の外周面より外方へ延出する鍔部を設ける一方、前記キャップに、前記口部の外周部を覆う筒部と、該筒部の上端より内側に延出したフランジ部とを形成し、当該キャップを前記口部に装着した状態で前記被保持体の前記鍔部を前記口部の端面と前記キャップの前記フランジ部とで挟持可能に構成した。
【００１６】
すなわち、この揮散装置は、容器体の口部に装着されるキャップと、該キャップと前記口部との間に保持される被保持体とを備えており、当該被保持体に、前記容器体内部と外部とを連通する前記開口部が設定されている。
【００１７】
そして、この被保持体の外周面には、外方へ延出する鍔部が形成されており、前記キャップには、前記口部の外周部を覆う筒部と、該筒部の上端より内側に延出したフランジ部とが形成されている。
【００１８】
このため、前記キャップを前記口部に装着した際には、当該キャップのフランジ部と前記口部の端面との間に、前記被保持体の前記鍔部を挟持した状態で、当該被保持体を前記容器体に設けることができる。
【００１９】
このとき、前記被保持体には、前記開口部が設けられており、該開口部の外周部に前述した傾斜面が設定される。
【００２０】
このため、この被保持体を、液状薬剤を収容した容器体の口部に装着するだけで、前述した構成を形成することができ、前述した作用を奏することができる。
【００２１】
加えて、請求項４の揮散装置にあっては、前記キャップに外嵌し当該キャップを覆う装飾カバーを前記キャップと異なる素材で構成し、該装飾カバーの天部に、前記被保持体の前記開口部及び前記口部を介して前記容器体内連通する連通穴を設けた。
【００２２】
これにより、前記キャップを前記液状薬剤の浸透を防止するプラスチック製で構成し、前記装飾カバーを木製で構成することが可能となり、デザイン性の向上が図られる。
【発明の効果】
【００２３】
以上説明したように本発明の請求項１の揮散装置にあっては、複数の吸上芯を束ねた状態で大まかに前記開口部に合わせてセットするだけで、前記開口部に位置した吸上芯は直接、また前記上部傾斜面に当接した吸上芯にあっては当該上部傾斜面でガイドすることによって、前記開口部に挿入することができる。
【００２４】
これにより、前記開口部への複数の前記吸上芯の挿入を容易に行うことができる。
【００２５】
また、前記上部傾斜面に当接した吸上芯を前記開口部に案内できることから、前記開口部の開口面積を、前記複数の吸上芯を挿入可能な大きさまで小さくすることができる。
【００２６】
これにより、転倒時に前記開口部からこぼれ出る液状薬剤の流出量を抑えることができ、前記容器体より延出した前記吸上芯に手などを引っ掛けて転倒させてしまった場合であっても、当該容器体をすぐに起立させることによって、収容された液状薬剤の漏れを防止することができる。
【００２７】
したがって、前記吸上芯の挿入を容易としつつ、転倒時での液状薬剤の不用意なこぼれを抑制することができる。
【００２８】
そして、前記開口部の外周部には、前記開口部へ向かうに従って下方に傾斜した上部傾斜面が形成されており、前記開口部に挿入された複数の吸上芯は、前記上部傾斜面側への傾倒が許容され、外側へ傾斜することができる。
【００２９】
これにより、前記開口部に挿入された複数の吸上芯を放射状に延出することができ、美観を高めることができる。そして、前記吸上芯を放射状に延出することで、前記液状薬剤の揮散量を拡大することができる。
【００３０】
また、請求項２の揮散装置においては、前記開口部の外周部における下部には下方へ向かうに従って外周方向に向けて傾斜した下部傾斜面が形成されており、下方へ向かうに従って拡開する拡開形状を構成されている。
【００３１】
このため、前記開口部に挿入された複数の吸上芯を、前記上部傾斜面に沿って傾倒した状態であっても、前記下部傾斜面への干渉を防止することができる。
【００３２】
これにより、前記吸上芯の傾倒角を大きくすることができ、広範囲に広がる放射形状を形成することができ、前記液状薬剤の揮散量をさらに拡大することができる。
【００３３】
さらに、請求項３の揮散装置では、前記キャップを前記口部に装着することで、当該キャップのフランジ部と前記口部の端面との間に、前記被保持体の前記鍔部を挟持した状態で、当該被保持体を前記容器体に保持することができる。
【００３４】
このとき、前記被保持体には、前記開口部が設けられており、該開口部の外周部に前述した傾斜面が設定される。
【００３５】
このため、この被保持体を、液状薬剤を収容した容器体の口部に装着するだけで、前述した構成を形成することができ、前述した作用を奏することができる。
【００３６】
加えて、請求項４の揮散装置にあっては、例えば前記キャップを前記液状薬剤の浸透を防止するプラスチック製で構成し、前記装飾カバーを木製で構成することが可能となり、デザイン性の向上を図ることができる。
【００３７】
このとき、デザイン性向上のため前記キャップを木製とすることが考えられる。この場合、吸上芯等で吸い上げられた液状薬剤が前記キャップの付着した際に当該キャップに染みこむ恐れがあり、この場合、キャップ表面にシミ等が表出する恐れがある。
【００３８】
しかし、本願発明のように、前記キャップと前記装飾カバーとを異なる素材で構成することで、このような不具合を防止しつつ、デザイン性の向上を図ることができる。
【図面の簡単な説明】
【００３９】
【図１】本発明の第一の実施の形態を示す説明図である。
【図２】同実施の形態を示す図で、（ａ）は平面図であり、（ｂ）は（ａ）のＡ−Ａ線に沿った断面図である。
【図３】同実施の形態の使用状態を示す断面図である。
【図４】同実施の形態の被保持体を示す図で、（ａ）は平面図であり、（ｂ）は（ａ）のＢ−Ｂ線に沿った断面図である。
【図５】同実施の形態の使用状態を示す図で、（ａ）は容器体が水平方向に倒れた状態を示す説明図であり、（ｂ）は容器体の口部が下方へ向けて傾斜するように転倒した状態を示す説明図である。
【図６】従来の揮散装置を示す説明図である。
【発明を実施するための形態】
【００４０】
以下、本発明の一実施の形態を図に従って説明する。
【００４１】
図１から図５は、本実施の形態にかかる揮散装置１を示す図であり、該揮散装置１は、芳香液や消臭液等の液状薬剤を揮散するものである。
【００４２】
この揮散装置１は、図１に示したように、前記液状薬剤１１を収容した容器体１２と、該容器体１２の口部１３に取り付けられ使用時には取り外される内キャップ１４と、前記口部１３上に配置される被保持体１５と、前記口部１３に装着されるキャップ１６と、該キャップ１６に取り付けられる装飾カバー１７と、該装飾カバー１７に取り付けられる保護カバー１８とによって構成されており、図３に示したように、前記容器体１２内の前記液状薬剤１１を吸い上げて揮散する複数の吸上芯１９，・・・を備えて構成されている。
【００４３】
前記容器体１２は、図１に示したように、矩形状のガラス瓶で構成され、正方形状の底面２１を備えている。該底面２１の各辺からは矩形状の壁面２２，・・・が上方へ向けて延出しており、各壁面２２，・・・によって当該容器体１２の周壁２３が形成されている。該周壁２３の上縁は、矩形状の上面２４によって連設されており、該上面２４の中央部からは、円筒状の前記口部１３が上方へ向けて延出している。
【００４４】
該口部１３は、当該容器体１２内に連通しており、容器体１２の内部Ｉと外部Ｏとが前記口部１３によって連通するように構成されている（図２及び図３参照）。
【００４５】
この口部１３には、プラスチック製の前記内キャップ１４が出荷時に装着されており、該内キャップ１４は、前記口部１３に内嵌される有底円筒状の内嵌部３１と、該内嵌部３１の上縁より側方に延出した延出部３２とによって一体形成されている。これにより、該延出部３２が前記口部１３の端面に当接するまで前記内嵌部３１を前記口部１３に内嵌することで、前記容器体１２内の液状薬剤１１の運搬中等での漏れを防止できるように構成されている。
【００４６】
前記口部１３の外周面には、雄ねじ部４１が一体形成されており、プラスチック製の前記キャップ１６を取り付けられるように構成されている。
【００４７】
該キャップ１６は、装着時に前記口部１３の外周部を覆う円筒状の筒部５１と、該筒部５１の上端より内側に延出したリング状のフランジ部５２とによって一体形成されている。これにより、当該キャップ１６の天部には、前記フランジ部５２の内側に円形穴５３が設けられている。
【００４８】
このキャップ１６の前記筒部５１の内側面には、前記口部１３の前記雄ねじ部４１に螺合する雌ねじ部６１が一体形成されており、当該キャップ１６を前記口部１３に螺着できるように構成されている。これにより、図３に示したように、当該キャップ１６と前記口部１３との間に、あるいは図２に示したように、前記キャップ１６と前記内キャップ１４との間に、前記被保持体１５を保持できるように構成されている。
【００４９】
この被保持体１５は、シリコン、ブタジエン等のゴム、エラストマーまたはウレタン等の素材で形成されており、弾性変形可能に構成されている。該被保持体１５は、図４に示したように、その中心部を構成する本体部７１が円筒状に形成されており、当該本体部７１は、取付状態において上側を構成する小径の小径部７２と、該小径部７２より大径であって下側を構成する大径部７３とによって構成されている。該大径部７３の下端側には、当該被保持体１５の外周面より外方へ延出する鍔部７４が全周に渡って形成されており、円形リング状の鍔部７４が当該被保持体１５の下端部に一体形成されている。
【００５０】
前記本体部７１を構成する前記大径部７３の外形寸法は、図２及び図３に示したように、前記キャップ１６に設けられた円形穴５３とほぼ同寸法又はやや小径に設定されており、前記大径部７３は前記円形穴５３を挿通して前記キャップ１６の天部の前記フランジ部５２より上方へ突出するように構成されている。
【００５１】
また、前記鍔部７４の外形寸法は、前記キャップ１６の内径寸法よりやや小さめであって、前記口部１３の外形寸法よりやや大きめに設定されており、当該被保持体１５の前記鍔部７４を前記容器体１２の前記口部１３の端面に載置した状態で、前記キャップ１６を前記口部１３に装着できるように構成されている。
【００５２】
そして、前記被保持体１５の前記鍔部７４上面には、図３に示したように、前記キャップ１６の前記フランジ部５２が全周に渡って当接するように構成されており、前記被保持体１５の前記鍔部７４を前記口部１３の端面と前記キャップ１６の前記フランジ部５２とで挟持した状態で、当該被保持体１５を前記キャップ１６と前記口部１３間に保持できるように構成されている。
【００５３】
このとき、前記キャップ１６を締め付けることによって、前記フランジ部５２で前記鍔部７４を押圧できるように構成されており、これにより当該鍔部７４を全周に渡って前記口部１３の端面に圧接することで、当該口部１３をシールできるように構成されている。
【００５４】
前記被保持体１５の前記本体部７１には、図４に示したように、上下に貫通した開口部８１が形成されており、当該被保持体１５を前記キャップ１６と前記口部１３間に配設した状態で、前記容器体１２内部Ｉと外部Ｏとを連通するように構成されている（図２及び図３参照）。
【００５５】
前記本体部７１に設けられた前記開口部８１の外周部には、該開口部８１から当該本体部７１の上面８２へ向かうに従って外周方向に向けて傾斜したすり鉢状の上部傾斜面８３が形成されており、当該開口部８１は、その上部が上方へ向かうに従って拡開する拡開形状に形成されている。また、前記開口部８１の外周部には、該開口部８１から当該本体部７１の下面８４へ向かうに従って外周方向に向けて傾斜したすり鉢状の下部傾斜面８５が形成されており、当該開口部８１は、その下部が下方へ向かうに従って拡開する拡開形状に形成されている。
【００５６】
これにより、前記本体部７１には、前記上部傾斜面８３と前記下部傾斜面８５との連設部分に内側に突出した細挟部９１が設定されており、該細挟部９１における前記開口部８１の内径寸法は、前記吸上芯１９を所定数挿入できる大きさに設定されている。これにより、当該開口部８１には、所定数の吸上芯１９，・・・を挿入できるように構成されており、挿入される各吸上芯１９の外形寸法にバラツキが生じた場合であっても、前記被保持体１５が弾性変形することで、前記吸上芯１９，・・・の挿通を許容できるように構成されている。
【００５７】
この被保持体１５の中心線１０１に平行する平行線１０２を想定した際に、該平行線１０２に対する前記上部傾斜面８３の傾斜角度αは、当該平行線１０２に対する前記下部傾斜面８５の傾斜角度βより小さい角度に設定されており、前記細挟部９１から前記上面８２までの寸法は、当該細挟部９１から前記下面８４までの寸法より長くなるように設定されている。
【００５８】
前記キャップ１６の外周部には、図２及び図３に示したように、当該キャップ１６を覆い隠すように前記装飾カバー１７が取り付けられており、該装飾カバー１７は、プラスチック製の前記キャップ１６と異なる素材である天然木によって形成されている。
【００５９】
この装飾カバー１７は、前記キャップ１６の前記筒部５１に外嵌した状態で固定された円筒状の側面１１１と、該側面１１１の天面を形成する天部１１２とによって構成されており、前記側面１１１は、その外形寸法が前記天部１１２側へ向かうに従って大きくなるように設定されている。
【００６０】
該天部１１２の中央部には、連通穴１２１が開設されており、該連通穴１２１は、前記キャップ１６の円形穴５３と、前記被保持体１５の前記開口部８１と、前記内キャップ１４を外した状態の前記口部１３とを介して、前記容器体１２内に連通するように構成されている。
【００６１】
この連通穴１２１は、下方へ向かうに従って内径寸法が小さくなるテーパー状に形成されており、当該連通穴１２１の内側には、前記保護カバー１８が取り付けられている。該保護カバー１８は、プラスチックによって形成されており、前記連通穴１２１の内側面に沿って延在するテーパー筒状のテーパ部１３２と、該テーパ部１３２の下端より側方に延出した下縁鍔部１３３とによって構成されている。
【００６２】
これにより、前記連通穴１２１の内側に前記保護カバー１８を取り付けた状態において、前記テーパ部１３２が前記連通穴１２１の内側面に沿って延在するとともに、前記下縁鍔部１３３が前記連通穴１２１下端の開口縁部と係合することで当該保護カバー１８の離脱を防止できるように構成されている。
【００６３】
前記装飾カバー１７と前記キャップ１６との間には隙間１４１が形成されており、前記装飾カバー１７に設けられた前記連通穴１２１と、前記キャップ１６に設けられた前記円形穴５３と、該円形穴５３を前記本体部７１が挿通した前記被保持体１５の前記開口部８１と、前記容器体１２の前記口部１３とは、直線上に配置されるように構成されている。
【００６４】
これにより、前記容器体１２の前記口部１３と、前記被保持体１５の前記開口部８１と、前記キャップ１６の前記円形穴５３と、前記装飾カバー１７及び前記キャップ１６間に形成された前記隙間１４１と、前記装飾カバー１７の前記連通穴１２１とによって、前記容器体１２の内部Ｉを外部Ｏに連通する連通部１５１が構成されており、複数の前記吸上芯１９，・・・を前記連通部１５１より挿入することで、当該吸上芯１９，・・・を前記被保持体１５の前記開口部８１を介して前記容器体１２内に挿入できるように構成されている。
【００６５】
前記各吸上芯１９，・・・は、円柱長尺状の葦で構成されており、木製の前記装飾カバー１７と同系色で構成されている。これにより、前記装飾カバー１７が前記葦と異なる色のプラスチックで形成された場合と比較して、デザイン性の向上が図られている。
【００６６】
葦で構成された前記吸上芯１９，・・・は、液体吸上力を備え、前記各吸上芯１９，・・・の基端部を前記液状薬剤１１に浸した状態で、当該液状薬剤１１を先端まで吸い上げられるように構成されている。この吸上芯１９，・・・の長さ寸法は、前記容器体１２の前記底面２１から前記装飾カバー１７の前記天部１１２までの高さ寸法より十分長い寸法に設定されており、当該吸上芯１９，・・・を前記容器体１２に挿入し、その基端を前記底面２１に接触させた状態において、その先端部が前記装飾カバー１７の前記天部１１２より上方へ延出するように構成されている。
【００６７】
これにより、所定数の吸上芯１９，・・・を、前記装飾カバー１７の前記連通穴１２１より前記容器体１２内に挿入するとともに、その基端部を前記容器体１２内の前記液状薬剤１１に浸けることによって、該液状薬剤１１を前記各吸上芯１９，・・・で吸い上げて、前記容器体１２より延出した前記各吸上芯１９，・・・の先端部及び周囲から揮散できるように構成されている。
【００６８】
このとき、前記吸上芯１９，・・・が、木製の前記装飾カバー１７の前記連通穴１２１の内縁に接することがあるが、該連通穴１２１の内側には、プラスチック製の前記保護カバー１８が取り付けられており、前記連通穴１２１の内側面は、前記保護カバー１８の前記テーパ部１３２で覆われている。このため、前記吸上芯１９，・・・と前記装飾カバー１７との直接接触を防止することができ、前記吸上芯１９，・・・で吸い上げられた前記液状薬剤１１が木製の前記装飾カバー１７に染みこむ現象を防止することができる。
【００６９】
以上の構成にかかる本実施の形態において、複数の吸上芯１９，・・・が挿入される被保持体１５の開口部８１の外周部は、該開口部８１から上方へ向かうに従って外周方向に向けて傾斜する上部傾斜面８３が形成されており、複数の吸上芯１９，・・・を束ねて前記開口部８１に挿入する際に、外側に配置された吸上芯１９，・・・が前記開口部８１外周部の前記上部傾斜面８３に干渉した場合であっても、これらの吸上芯１９，・・・を、前記上部傾斜面８３に沿って前記開口部８１へ案内することができる。
【００７０】
このため、複数の吸上芯１９，・・・を束ねた状態で大まかに前記開口部８１に合わせてセットするだけで、該開口部８１に位置した吸上芯１９，・・・を直接、また前記上部傾斜面８３に当接した吸上芯１９，・・・にあっては当該上部傾斜面８３でガイドすることにより、前記開口部８１に挿入することができる。
【００７１】
特に、本実施の形態のように外側の装飾カバー１７の挿通穴１２１から離れた位置に前記開口部８１が存在する場合であっても、当該開口部８１へ吸上芯１９，・・・の挿入を容易に行うことができる。
【００７２】
そして、前記上部傾斜面８３に当接した前記吸上芯１９，・・・を前記開口部８１に案内できることから、前記開口部８１の開口面積を、所定数の吸上芯１９，・・・を挿入可能な大きさまで小さくすることができる。このため、前記開口部８１への前記吸上芯１９，・・・の挿入容易性を損なうことなく、前記開口部８１の開口面積を最小限に抑えることができる。
【００７３】
これにより、転倒時に前記開口部８１からこぼれ出る液状薬剤１１の流出量を抑えることができ、前記容器体１２より延出した前記吸上芯１９，・・・に手などを引っ掛けて転倒させてしまった場合であっても、当該容器体１２をすぐに起立させることによって、収容された液状薬剤１１の漏れを防止することができる。
【００７４】
したがって、前記吸上芯１９，・・・の挿入を容易としつつ、転倒時での液状薬剤１１の不用意なこぼれを抑制することができる。
【００７５】
ここで、前記装飾カバー１７と前記被保持体１５との間には、隙間１４１が形成されており、前記開口部８１から前記液状薬剤１１が少しでも漏れることがあった場合には、この隙間１４１に保持することができる。
【００７６】
このとき、前記装飾カバー１７は、厚手の天然木で形成されており、前記隙間１４１に漏れた前記液状薬剤１１を、その内側面から吸収することができる。これにより、前記液状薬剤１１の外部への漏れを確実に防止することができる。
【００７７】
なお、前記装飾カバー１７は、厚肉に形成されているため、吸収した液状薬剤１１が当該装飾カバー１７の外周面に表出することはない。
【００７８】
そして、前記開口部８１の外周部には、該開口部８１へ向かうに従って下方に傾斜した上部傾斜面８３が形成されており、前記開口部８１に挿入された複数の吸上芯１９，・・・は、前記上部傾斜面８３側への傾倒が許容され、外側へ傾斜することができる。
【００７９】
これにより、前記開口部８１に挿入された複数の吸上芯１９，・・・を放射状に延出することができ、各吸上芯１９，・・・が延出した当該揮散装置１の美観を高めることができる。そして、前記吸上芯１９，・・・を放射状に延出することで、前記液状薬剤１１の揮散量を拡大することができる。
【００８０】
このとき、図５の（ａ）に示したように、前記容器体１２が水平方向に倒れた場合、前記開口部８１を挿通した前記吸上芯１９は、前記細挟部９１の頂点を境とした前記容器体１２内側の部位が前記下部傾斜面８５の上部側に密接する一方、前記容器体１２外側の部位が前記上部傾斜面８３の下部側に密接することとなる。
【００８１】
すると、当該吸上芯１９は、前記開口部８１をさらに閉鎖する効果を発揮し、当該開口部８１からの前記液状薬剤１１の漏れ防止効果を高めることができる。
【００８２】
また、図５の（ｂ）に示したように、前記容器体１２の口部１３が下方へ向けて傾斜した状態で転倒した場合、前記開口部８１を挿通した前記吸上芯１９は、前記細挟部９１の頂点を境として、前記容器体１２内側の部位が前記下部傾斜面８５の下部側に密接する一方、前記容器体１２外側の部位が前記上部傾斜面８３の上部側に密接することとなる。
【００８３】
これによっても、当該吸上芯１９は、前記開口部８１をさらに閉鎖する効果を発揮し、当該開口部８１からの前記液状薬剤１１の漏れ防止効果を高めることができる。
【００８４】
このようにして、転倒時における前記液状薬剤１１の漏れを抑制することができる。
【００８５】
また、前記開口部８１の外周部における下部側には下方へ向かうに従って外周方向に向けて傾斜した下部傾斜面８５が形成されており、下方へ向かうに従って拡開する拡開形状を構成されている。
【００８６】
このため、前記開口部８１に挿入された複数の吸上芯１９，・・・を、前記上部傾斜面８３に沿って傾倒した状態であっても、前記下部傾斜面８５への干渉を防止することができる。
【００８７】
これにより、前記吸上芯１９，・・・の傾倒角を大きくすることができ、広範囲に広がる放射形状を形成することができ、前記液状薬剤１１の揮散量をさらに拡大することができる。
【００８８】
そして、この揮散装置１は、前記容器体１２の口部１３に装着されるキャップ１６と、該キャップ１６と前記口部１３との間に保持される被保持体１５とを備えており、当該被保持体１５に、前記容器体１２内部Ｉと外部Ｏとを連通する前記開口部８１が設定されている。
【００８９】
また、この被保持体１５の外周面には、外方へ延出する鍔部７４が形成されており、前記キャップ１６には、前記口部１３の外周部を覆う筒部５１と、該筒部５１の上端より内側に延出したフランジ部５２とが形成されている。
【００９０】
このため、前記キャップ１６を前記口部１３に装着することで、当該キャップ１６のフランジ部５２と前記口部１３の端面との間に、前記被保持体１５の前記鍔部７４を挟持した状態で、当該被保持体１５を前記容器体１２に保持することができる。
【００９１】
このとき、前記被保持体１５には、前記開口部８１が設けられており、該開口部８１の外周部に前述した傾斜面８３，８５が設定される。
【００９２】
このため、この被保持体１５を、液状薬剤１１を収容した容器体１２の口部１３に装着するだけで、前述した構成を形成することができ、前述した作用を奏することができる。
【００９３】
一方、前記キャップ１６は、前記液状薬剤１１の浸透を防止するプラスチックで構成されており、外周部を構成する前記装飾カバー１７は、天然木で形成されている。これにより、当該揮散装置１のデザイン性の向上を図ることができる。
【００９４】
このとき、デザイン性向上のため前記キャップ１６自体を木製とすることが考えられる。この場合、前記吸上芯１９，・・・等で吸い上げられた液状薬剤１１が木製のキャップ１６の付着し当該キャップ１６に染みこむ恐れがあり、この場合、キャップ１６表面にシミ等が表出する恐れがある。
【００９５】
しかし、本実施の形態のように、前記キャップ１６と前記装飾カバー１７とを異なる素材で構成することで、このような不具合を防止しつつ、デザイン性の向上を図ることができる。
【符号の説明】
【００９６】
１    揮散装置
１１    液状薬剤
１２    容器体
１３    口部
１５    被保持体
１６    キャップ
１７    装飾カバー
１９    吸上芯
５１    筒部
５２    フランジ部
７４    鍔部
８１    開口部
８３    上部傾斜面
８５    下部傾斜面
１１２    天部
１２１    連通穴
【図１】
0005432090.tif 000002
【図２】
0005432090.tif 000003
【図３】
0005432090.tif 000004
【図４】
0005432090.tif 000005
【図５】
0005432090.tif 000006
【図６】
0005432090.tif 000007